(57)【要約】【課題】  容器の解体を容易に行うことができる容器解体器具を提供する。【解決手段】  紙容器解体器具１は、両端に開口部３が形成された断面四角形状の中空でありアクリルからなる透明なプラスティック製の本体２と、本体の対角線上に開口部を横断すると共に本体の内壁面に対してα＝６０°の角度で傾斜して内壁面に取り付けられた板状の刃４と、対向するよう開口部の周縁部に形成された２つの溝部５と、２つの溝部のうちの１つに取り付けられた板状の刃６から構成されている。また、開口部の一端とこれに対向する開口部の他端の高さが異なる、即ち開口部３を含む面は傾斜している。【選択図】  図１
2006334329.tif 000002
【特許請求の範囲】
【請求項１】
容器を切断して解体する容器解体器具であって、
前記容器が移動する領域を横断すると共に、前記容器が移動する方向に対して所定の角度で傾斜して前記容器が移動する領域に配置された切断部材と、
該切断部材を支持すると共に、前記容器が移動する領域の周囲に配置された支持部材とを備える
容器解体器具。
【請求項２】
前記支持部材は、前記容器をガイドできるような形状に配置されている
請求項１に記載の容器解体器具。
【請求項３】
前記容器が移動する方向に対して垂直な前記支持部材の面が傾斜している
請求項１に記載の容器解体器具。
【請求項４】
前記支持部材に、切断具が取り付けられている
請求項１に記載の容器解体器具。
【請求項５】
前記支持部材は、透明材料で構成されている
請求項１に記載の容器解体器具。
【請求項６】
容器を切断して解体する容器解体器具であって、
前記容器が挿通される四角形状の開口部が形成された本体と
前記開口部を横断すると共に、前記容器の挿通方向に対して所定の角度で傾斜して前記開口部内に配置された切断部材を備え、
前記開口部の一端とこれに対向する他端の高さが異なり、
前記開口部の周縁部に少なくとも１つの溝部が形成されていると共に、該溝部の少なくとも１つに切断具が取り付けられている
容器解体器具。
【請求項７】
前記切断部材を２つ備えていると共に、一方の切断部材は他方の切断部材に対して略垂直に位置している
請求項６に記載の容器解体器具。
【発明の詳細な説明】
【技術分野】
【０００１】
本発明は容器解体器具に関する。詳しくは、容器が移動する領域に切断部材を配置して、容器の解体作業を容易に行うことができる容器解体器具に係るものである。
【背景技術】
【０００２】
近年、地球資源の保護、特に森林の乱伐による環境破壊が問題提起され、容器の中でも牛乳などの液体飲料を収容した紙容器の再利用が注目されており、消費者側において使用済みの紙容器を解体展開した後、解体された紙容器は回収され、解体された紙容器を水中に投入することにより、水に対する浸透性の違いから紙繊維部とプラスチックフィルム部とを分離させることで、簡単に紙を再生することが行われるようになっている。以下、容器のうち紙容器を例に挙げて説明する。
【０００３】
ところで、使用済みの紙容器を解体展開する際、紙容器は厚紙により中空箱型に形成されているため、通常のカッター等によって折り目部の切断を行うことは極めて困難であるとともに、切断作業において多大な時間を要し、しかも、手を滑らせやすく怪我をするおそれがあった。
【０００４】
そこで、使用済みの紙容器を簡単に解体することができる様々な紙容器解体器具が提案されている。例えば特許文献１には、紙容器（紙パック）を切断するための刃１０１と、刃を支える刃挟持部１０２と、刃を刃挟持部に固定するための止めねじ１０３と、刃挟持部の片端から刃挟持部に対して鋭角的に延出された一対の角辺誘導部１０４と、角辺誘導部を含み連続して延出された持ち手部１０５と、角辺誘導部の終端が本体正面でＶ字状の切れ込みを形成してなる角辺捕捉部１０６とから構成されている紙パック切り開きカッターが記載されている。このような構成により、紙パックの角の辺に沿って簡単かつきれいに切断することができる。図６に、従来の紙容器解体器具の概略図を示す。
【０００５】
【特許文献１】特開２００４−１８１１７５号公報
【発明の開示】
【発明が解決しようとする課題】
【０００６】
しかしながら、従来の解体器具は、紙パックのいずれか１つの辺を真っ直ぐに切り開くカッターであり、ある程度の厚みがあって丈夫な紙パックを解体するためには、紙パックの角にしっかりとカッターを押し当てて真っ直ぐに引く必要があり、多くの紙パックを解体するためには大きな労力が必要であった。
【０００７】
本発明は、以上の点に鑑みて創案されたものであり、容器の解体を容易に行うことができる容器解体器具を提供することを目的とするものである。
【課題を解決するための手段】
【０００８】
上記の目的を達成するために、本発明の容器解体器具は、容器を切断して解体する容器解体器具であって、前記容器が移動する領域を横断すると共に、前記容器が移動する方向に対して所定の角度で傾斜して前記容器が移動する領域に配置された切断部材と、該切断部材を支持すると共に、前記容器が移動する領域の周囲に配置された支持部材とを備える。
【０００９】
ここで、容器が移動する領域の周囲に配置された支持部材が容器をガイドするので、従来のカッターで解体する場合と異なり、容器を支持部材に沿って通すのみで容器の解体作業を行なうことができる。また、容器が移動する領域を横断すると共に、容器が移動する方向に対して所定の角度で傾斜して容器が移動する領域に配置された切断部材によって、大きな力を加えなくても容器を切断することができる。なお、ここでいう「所定の角度」とは、０°より大きく９０°未満の角度をいう。
【００１０】
また、本発明の容器解体器具は、容器を切断して解体する容器解体器具であって、前記容器が挿通される四角形状の開口部が形成された本体と前記開口部を横断すると共に、前記容器の挿通方向に対して所定の角度で傾斜して前記開口部内に配置された切断部材を備え、前記開口部の一端とこれに対向する他端の高さが異なり、前記開口部の周縁部に少なくとも１つの溝部が形成されていると共に、該溝部の少なくとも１つに切断具が取り付けられている。
【００１１】
ここで、四角形状の開口部が形成された本体が容器をガイドするので、従来のカッターで解体する場合と異なり、容器を本体に沿って通すのみで容器の解体作業を行なうことができる。また、開口部を横断すると共に、容器の挿通方向に対して所定の角度で傾斜して開口部内に配置された切断部材によって、大きな力を加えなくても容器を切断することができる。なお、ここでいう「所定の角度」とは、０°より大きく９０°未満の角度をいう。
【発明の効果】
【００１２】
本発明に係る容器解体器具を用いることによって、容器の解体を容易に行うことができる。
【発明を実施するための最良の形態】
【００１３】
以下、本発明の実施の形態について図面を参照しながら説明し、本発明の理解に供する。図１のうち、（ａ）は本発明を適用した容器解体器具の一実施態様を示す概略斜視図であり、（ｂ）はその概略側面図であり、（ｃ）はその概略底面図である。図１において、本発明を適用した紙容器解体器具１（容器解体器具の一例）は、両端に開口部３（容器が移動する領域）が形成された断面四角形状の中空でありアクリルからなる透明なプラスティック製の本体２（支持部材の一例）と、本体の対角線上に開口部を横断すると共に本体の内壁面に対してα＝６０°の角度で傾斜して内壁面に取り付けられた板状の刃４（切断部材の一例）と、対向するよう開口部の周縁部に形成された２つの溝部５と、２つの溝部のうちの１つに取り付けられた板状の刃６（切断具の一例）から構成されている。また、開口部の一端（本体の正面側）とこれに対向する開口部の他端（本体の背面側）の高さが異なる、即ち開口部３を含む面は傾斜している。
【００１４】
ここで、開口部に挿通される紙容器をガイドできれば、必ずしも本体の形状は断面四角形状でなくてもよく、例えば断面円形状であってもよい。
【００１５】
また、紙容器解体器具が、容器が移動する領域を横断すると共に、容器が移動する方向に対して所定の角度で傾斜して容器が移動する領域に配置された切断部材と、切断部材を支持すると共に、容器が移動する領域の周囲に配置された支持部材とを備えていれば、必ずしも板状の刃は本体の内壁面に対してα＝６０°で傾斜して内壁面に取り付けられていなくてもよく、６０°未満の角度例えばα＝２０°〜４５°で傾斜していてもよいし、また、刃先の形状は鋸歯状であってもよい。
【００１６】
更に、紙容器解体器具が、容器が移動する領域を横断すると共に、容器が移動する方向に対して所定の角度で傾斜して容器が移動する領域に配置された切断部材と、切断部材を支持すると共に、容器が移動する領域の周囲に配置された支持部材とを備えていれば、必ずしも開口部の周縁部に２つの溝部を形成しなくてもよく、例えば溝部を１つ形成してもよいし、全く形成しなくてもよい。溝部には切断具が取り付けられているため、溝部内に指が入らないよう、溝部は指の厚みや幅よりも小さい幅を有していることが好ましい。
【００１７】
また、紙容器解体器具が、容器が移動する領域を横断すると共に、容器が移動する方向に対して所定の角度で傾斜して容器が移動する領域に配置された切断部材と、切断部材を支持すると共に、容器が移動する領域の周囲に配置された支持部材とを備えていれば、溝部内に刃を取り付けなくてもよく、また、形成された溝部内すべてに刃を取り付けてもよく、また、刃先の形状は鋸歯状であってもよい。
【００１８】
また、紙容器解体器具が、容器が移動する領域を横断すると共に、容器が移動する方向に対して所定の角度で傾斜して容器が移動する領域に配置された切断部材と、切断部材を支持すると共に、容器が移動する領域の周囲に配置された支持部材とを備えていれば、必ずしも開口部を含む面は傾斜していなくてもよい。
【００１９】
また、紙容器解体器具が、容器が移動する領域を横断すると共に、容器が移動する方向に対して所定の角度で傾斜して容器が移動する領域に配置された切断部材と、切断部材を支持すると共に、容器が移動する領域の周囲に配置された支持部材とを備えていれば、必ずしも本体はアクリルからなるプラスティック製でなくてもよく、例えば本体は木製であってもよい。
【００２０】
次に、図２及び図３を参照して、本発明を適用した容器解体器具を用いた紙容器の解体方法の一例を説明する。図２は、本発明を適用した容器解体器具の使用態様の一例を示す概略図である。図３は、紙容器が解体される様子を示す概略説明図である。
【００２１】
図２に示すように、「ＭＩＬＫ」なる文字が表された面を正面に向けた状態で牛乳パック７（紙容器）を挿入方向８へ動かし、本体２の開口部内へ挿入する。この際、図３（ａ）に示すように牛乳パック７の底面の対角線が切断されて第１の切れ込み９が形成される程度に、本体２の開口部内へ挿入する。次に、牛乳パック７の「ＭＩＬＫ」なる文字が表された面を右側へ９０°回転させて再度、牛乳パック７を挿入方向８へ動かして本体２の開口部内へ挿入する。この際、図３（ｂ）に示すように、第１の切れ込み９と直交する対角線の半分が切断されて第２の切れ込み１０が形成される程度に、本体２の開口部内へ挿入する。更に、牛乳パック７の「ＭＩＬＫ」なる文字が表された面を右側へ１８０°回転させて（即ち２回目の牛乳パック挿入時に「ＭＩＬＫ」なる文字が表された面が向いていた方向と反対の方向に「ＭＩＬＫ」なる文字が表された面を向けて）、牛乳パック７を挿入方向８へ動かし、本体２を通過させる。この際、図３（ｃ）に示すように第２の切れ込み１０の延長線上が切断されて第３の切れ込み１１が形成されると共に、牛乳パック７の角辺が切断され、図３（ｄ）に示すように、牛乳パック７は２つに解体される。なお、「ＭＩＬＫ」なる文字は、牛乳パックの一つの面の位置を判り易くするために便宜上付しているのであり、必ずしも特定の文字が付された面を正面に向けて容器の解体を始めなくてもよい。また、切断して解体できる容器であれば、牛乳パックのような紙容器でなくてもよい。
【００２２】
図４のうち、（ａ）は本発明を適用した容器解体器具の他の実施態様を示す概略斜視図であり、（ｂ）はその概略底面図である。図４において、本発明を適用した紙容器解体器具１（容器解体器具の一例）は、両端に開口部３（容器が移動する領域）が形成された断面四角形状の中空でありアクリルからなる透明なプラスティック製の本体２（支持部材の一例）と、本体の対角線上に開口部を横断すると共に本体の内壁面に対してα＝６０°の角度で傾斜して内壁面にそれぞれ取り付けられた２つの板状の刃４（切断部材の一例）から構成されている。２つの刃４は、立体交差のように上下に違った高さで交差しており、一方の刃が他方の刃に対して略垂直に位置している。
【００２３】
ここで、紙容器解体器具が、容器が移動する領域を横断すると共に、容器が移動する方向に対して所定の角度で傾斜して容器が移動する領域に配置された切断部材と、切断部材を支持すると共に、容器が移動する領域の周囲に配置された支持部材とを備えていれば、２つの切断部材は必ずしも上下に違った高さで交差していなくてもよく、例えば２つの切断部材は同じ高さで交差して重なっていてもよいし、また、必ずしも切断部材は２つでなくてもよく、例えば３つ以上の切断部材を容器が移動する領域に配置してもよい。
【００２４】
次に、図５を参照して、本発明を適用した容器解体器具を用いた紙容器の解体方法の他の例を説明する。図５は、図４に示す容器解体器具を用いて紙容器が解体される様子を示す概略説明図である。
【００２５】
先ず、牛乳パック７（紙容器）の口を開けた状態で、治具１２の縦に延びる４つの角材１２Ａが牛乳パック７の内部に挿入されるよう、角材１２Ａに牛乳パック７を被せる（図５（ａ）参照。）。次に、治具１２の角材１２Ａに被せた牛乳パック７が、本発明を適用した紙容器解体器具１の開口部に挿通されるよう、紙容器解体器具１を牛乳パック７に被せる（図５（ｂ）参照。）。紙容器解体器具１を牛乳パック７に被せると、紙容器解体器具１の２つの刃によって、牛乳パック７の４つの角が切断されると共に底面の２つの対角線も切断されて切れ込み１３が形成される（図５（ｃ）参照。）。これにより、牛乳パック７は解体される。
【００２６】
ここで、牛乳パックを解体できれば、治具は必ずしも用いなくてもよく、例えば、単に、口を開けた状態の牛乳パックを紙容器解体器具の開口部に挿通させて牛乳パックを切断し、解体してもよい。
【００２７】
このように、本発明を適用した容器解体器具は、両端に開口部が形成された所定の形状を有する中空の本体と、本体を横断すると共に、本体の内壁面に対して所定の角度で傾斜して内壁面に取り付けられた切断部材とを備えているので、紙容器を中空の本体内に通すのみで紙容器の解体作業を行なうことができると共に、大きな力を加えなくても紙容器を切断することができ、紙容器の解体を容易に行うことができる。
【００２８】
また、本発明を適用した容器解体器具は、開口部の周縁部に溝部が形成されていると共に、溝部内に切断具が取り付けられているので、溝部内に紙容器の角辺を入れて紙容器を溝部に沿って移動させることで、角辺の切断を行うことができると共に、溝部内に切断具が取り付けられているので、単に周縁部に切断具が取り付けられている場合に比べて不用意に指などを切る可能性が低減する。
【００２９】
更に、本発明を適用した容器解体器具は、開口部の一端（本体の正面側）とこれに対向する開口部の他端（本体の背面側）の高さが異なる、即ち開口部を含む面は傾斜しているので、傾斜面上に洗浄後解体された紙容器を載せておくことで、水滴が下方へと集まり、紙容器の乾燥を促進することができる。
【００３０】
また、本発明を適用した容器解体器具は、本体がアクリルからなる透明なプラスティック製であるので、容器を本体の開口部内に挿通した際に容器の切断具合を目で確認することができると共に、成形が簡単で安価なコストで製造できる。
【００３１】
また、本発明を適用した容器解体器具は、切断部材を２つ備えていると共に、一方の切断部材は他方の切断部材に対して略垂直に位置しているので、切断部材が１つの場合に比べて、解体時間を短縮できる。
【図面の簡単な説明】
【００３２】
【図１】（ａ）は本発明を適用した容器解体器具の一実施態様を示す概略斜視図であり、（ｂ）はその概略側面図であり、（ｃ）はその概略底面図である。
【図２】本発明を適用した容器解体器具の使用態様の一例を示す概略図である。
【図３】紙容器が解体される様子を示す概略説明図である。
【図４】（ａ）は本発明を適用した容器解体器具の他の実施態様を示す概略斜視図であり、（ｂ）はその概略底面図である。
【図５】図４に示す容器解体器具を用いて紙容器が解体される様子を示す概略説明図である。
【図６】従来の紙容器解体器具の概略図を示す。
【符号の説明】
【００３３】
１    紙容器解体器具
２    本体
３    開口部
４    刃
５    溝部
６    刃
７    牛乳パック
８    挿入方向
９    第１の切れ込み
１０    第２の切れ込み
１１    第３の切れ込み
１２    治具
１２Ａ  角材
１３    切れ込み
α    内壁面に対する刃の角度
【図１】
2006334329.tif 000003
【図２】
2006334329.tif 000004
【図３】
2006334329.tif 000005
【図４】
2006334329.tif 000006
【図５】
2006334329.tif 000007
【図６】
2006334329.tif 000008